(57)【要約】【課題】ディスク媒体に記録されたデータの読取りが不調に終わった場合に、再読取り（リトライ）の成功の可能性を向上した情報再生装置を提供する。【解決手段】ディスク媒体に記録された所定アドレスの情報をホストからのリードコマンドに応答して読取り、この読取られた情報に対して各種のパラメータを設定して再生処理を行うデータ再生手段と、指定されたアドレスのデータがデータ再生手段により再生できなかった場合に、各種のパラメータをスペック内で変更して再生のリトライを実行するとともに、リトライを実行しても再生できなかった場合には、各種のパラメータをスペック外に変更して再度リトライを実行する制御手段とを有する。【選択図】図１
2007122837.tif 000002
【特許請求の範囲】
【請求項１】
ディスク媒体に記録された所定アドレスの情報をホストからのリードコマンドに応答して読取るピックアップ手段と、
前記ピックアップ手段により読取られた情報に対して各種のパラメータを設定して再生処理を行うデータ再生手段と、
指定されたアドレスのデータが前記データ再生手段により再生できなかった場合に、そのアドレスの情報に対して前記各種のパラメータをスペック内で変更して再生のリトライを実行し、前記リトライを実行しても再生できなかった場合には、前記ホストにリトライ不成功の情報を返送するとともに、前記各種のパラメータをスペック外に変更して再度リトライを実行する制御手段と、を具備したことを特徴とする情報再生装置。
【請求項２】
前記最初のリトライ及び再度のリトライは、所定の回数又は所定の時間に限定して実行し、前記最初のリトライで再生データが得られた場合、又は前記再度のリトライが終了した場合には、前記各種のパラメータを予め設定した標準値または最初のリトライ前の値に戻すようにしたことを特徴とする請求項１記載の情報再生装置。
【請求項３】
前記最初のリトライ及び再度のリトライは、所定の回数又は所定の時間に限定して実行し、前記ホストから新たなリードコマンドがあった場合には、前記各種のパラメータを予め設定した標準値または最初のリトライ前の値に戻すようにしたことを特徴とする請求項１記載の情報再生装置。
【請求項４】
前記最初のリトライで再生データが得られなかった場合、前記制御手段は、前記ホストから所定時間ウェイトして発送される同一のリードコマンドを受信してそのコマンドに応答することを特徴とする請求項１記載の情報再生装置。
【請求項５】
前記最初のリトライで再生データが得られなかった場合、前記制御手段は、前記ホストから再度のリトライにかかる時間をウェイトして発送される同一のリードコマンドを受信してそのコマンドに応答することを特徴とする請求項１記載の情報再生装置。
【請求項６】
前記最初のリトライで再生データが得られず前記指定したアドレスのデータにプログラム情報が含まれる場合、前記制御手段は、前記ホストから所定時間ウェイトして発送される同一のリードコマンドを受信してそのコマンドに応答することを特徴とする請求項１記載の情報再生装置。
【請求項７】
ディスク媒体に記録された所定アドレスの情報をホストからのリードコマンドに応答して読取るピックアップ手段と、
前記ピックアップ手段により読取られた情報に対して各種のパラメータを設定して再生処理を行うデータ再生手段と、
指定されたアドレスのデータが前記データ再生手段により再生できなかった場合に、そのアドレスの情報に対して前記各種のパラメータをスペック内で変更して再生のリトライを実行し、前記リトライを実行しても再生できなかった場合には、前記ホストにリトライ不成功の情報を返送するとともに、前記各種のパラメータをスペック外に変更して再度リトライを実行する制御手段と、
指定されたアドレスのデータ読取ることができた場合に、該アドレスのデータ及び引き続くアドレス領域のデータを先読みしてメモリに書き込む先読み手段と、を具備したことを特徴とする情報再生装置。
【発明の詳細な説明】
【技術分野】
【０００１】
本発明は、ディスク媒体に記録された情報を再生する情報再生装置に係り、特に情報の読取りエラーを低減した情報再生装置に関する。
【背景技術】
【０００２】
近年、ディスク媒体等の記録媒体に対して音声信号や映像信号、プログラムデータ等の情報を記録し、それを再生する情報再生装置が普及している。このような情報再生装置の再生処理機能の１つとして、再読取りの機能がある。再読取り（以下リトライと称す）機能は、ディスク媒体の再生時に媒体表面上へのゴミの付着、傷、あるいは記録時のレーザーパワー不足等により、記録されたデータが正しく読取れなかった場合に、再度同一のデータの読取りを試みる機能である。
【０００３】
例えば、音楽、画像ＤＶＤを再生可能なプレーヤでは、ホストからのリードコマンド（読取り指令）に応じて目標アドレスのデータを読取るようにしているが、ゴミ、傷、ブラックドット、指紋等の汚れや、記録時のレーザーパワー不足等により読取れない場合（リードＮＧ）が生じる。特に、ディスク媒体にデータの書き込みを行う際の品位によって読取り性能に差が出ている。このため従来では、回転速度等のいくつかのパラメータを順次変更してリトライを複数回繰り返し、それでも読取れない場合はリードＮＧとして、コマンドの実行を終了していた。
【０００４】
特許文献１には、複数のパラメータを変更してリトライを行い、再生ＯＫとなるまでＮ回（例えば８回）リトライを行う例が記載されている。そしてＮ回リトライしても再生ＮＧの場合は、ホストコンピュータにエラー終了の報告を行い、リトライを終了するようにしている。
【０００５】
なお、順次変更するパラメータとしては、様々なパラメータが存在するが、一般的にはディスク媒体のドライブ仕様を満足するバランスの取れたパラメ−タを使用し、ドライブ仕様から逸脱するパラメータは除外してリトライを繰り返すようにしている。したがって、その後、もしホストから再び同じ目標アドレスの再リードコマンドを受けたとしても、前回リードＮＧとなった同じパラメータでリトライをＮ回繰り返すだけなので、読取れる可能性はほとんど変わらない。
【０００６】
一方、目標アドレスの読取りが成功した場合には、ホストからの次のコマンドを受け取る前に、キャッシュ動作と呼ばれる読取り操作を自動的に行なっている。                                                                        
キャッシュ動作は、先読み機能と呼ばれるもので、ディスク媒体の指定された領域のデータを読取り、それに引き続く領域をホストからのコマンドを受け取る前に続けて読取るもので、先読みする範囲を広げて読み続けることで動画等、途切れることなく再生することができる。
【０００７】
リードコマンドは、指定アドレスヘのシーク動作と、指定アドレスからのデータをホストヘ転送する動作コマンドを含んでいるが、連続的なアドレスを次々と読取る場合にはホストからコマンドを受ける前に、自動的に前回読取りを完了したアドレスに引き続いて次のアドレスのデータの読取りを行えば、指定アドレスヘのシーク動作を省くことができ、総合的な読取り時間の短縮となることからキャッシュ動作が行われている。
【０００８】
しかしながら、従来ではリードＮＧのアドレスに対してキャッシュ動作が働くことはなく、リードＮＧ時のときにはキャッシュ動作は行われないか、もしくはリードＮＧのアドレスは飛ばして、リード可能なアドレスからキャッシュ動作を行うようにしていた。
【０００９】
このため、読めないアドレスを延々とリトライするのはホスト側の処理が著しく制限を伴うため、ドライブ側は一定回数もしくは一定時間で読取れないアドレスはリードＮＧとして読取りは諦める必要がある。またリードＮＧ後に、取得するアドレスを変更した場合には再度シークを行う必要が発生し、シーク動作の重複となり結果的にリード時間の遅延となる。
【００１０】
また、リードＮＧのアドレスは飛ばして、リード可能なアドレスからキャッシュ動作を行う場合、映像や音声のような情報では一部分が途切れるだけで済むため特に問題はないが、プログラムデータのような情報の場合は、プログラムを起動することができなくなるため、支障をきたすことになる。
【特許文献１】特開２０００−３１１３４７号公報（図２５、図２７）
【発明の開示】
【発明が解決しようとする課題】
【００１１】
従来の情報再生装置では、回転速度等のパラメータを順次変更して再読取りを（リトライ）を複数回繰り返し、それでも読取れない場合はリードＮＧとして、コマンドの実行を終了していた。このため、プログラムデータのように一部でも読取れないと意味が無くなる情報の場合は、プログラムを起動することができなくなるため、支障をきたしていた。
【００１２】
本発明は、リトライの成功の可能性を向上した情報再生装置を提供することを目的とする。
【課題を解決するための手段】
【００１３】
本願発明の情報再生装置は、ディスク媒体に記録された所定アドレスの情報をホストからのリードコマンドに応答して読取るピックアップ手段と；前記ピックアップ手段により読取られた情報に対して各種のパラメータを設定して再生処理を行うデータ再生手段と；指定されたアドレスのデータが前記データ再生手段により再生できなかった場合に、そのアドレスの情報に対して前記各種のパラメータをスペック内で変更して再生のリトライを実行し、前記リトライを実行しても再生できなかった場合には、前記ホストにリトライ不可の情報を返送するとともに、前記各種のパラメータをスペック外に変更して再度リトライを実行する制御手段とを具備したことを特徴とする。
【００１４】
また、本願発明の情報再生装置は、ディスク媒体に記録された所定アドレスの情報をホストからのリードコマンドに応答して読取るピックアップ手段と；前記ピックアップ手段により読取られた情報に対して各種のパラメータを設定して再生処理を行うデータ再生手段と；指定されたアドレスのデータが前記データ再生手段により再生できなかった場合に、そのアドレスの情報に対して前記各種のパラメータをスペック内で変更して再生のリトライを実行し、前記リトライを実行しても再生できなかった場合には、前記ホストにリトライ不可の情報を返送するとともに、前記各種のパラメータをスペック外に変更して再度リトライを実行する制御手段と；指定されたアドレスのデータ読取ることができた場合に、該アドレスのデータ及び引き続くアドレス領域のデータを先読みしてメモリに書き込む先読み手段とを具備したことを特徴とする。
【発明の効果】
【００１５】
本発明の情報再生装置では、スペック外のパラメータを利用してリトライを行うことにより重要なデータ等の読み取りの確立を高めることができる。
【発明を実施するための最良の形態】
【００１６】
以下、この発明の情報再生装置の一実施形態について図面を参照して説明する。
【実施例１】
【００１７】
図１は本発明が適用される情報再生装置の全体構成を示すブロック図である。
【００１８】
図１において、１は光ディスク等のディスク媒体であり、モータ２によって一定の線速度で回転される。ディスク媒体１に対する情報の記録、再生は、光ピックアップ３によって行われる。光ピックアップ３は、リニアモータ４によってディスク媒体１の径方向に駆動され、リニアモータ４は、リニアモータ制御回路５により制御される。
【００１９】
光ピックアップ３には、対物レンズ３１が設けられ、この対物レンズ３１は、アクチュエータ３２によってフォーカシング方向（レンズ３１の光軸方向）への移動とトラッキング方向（レンズ３１の光軸と直交する方向）への移動が制御される。
【００２０】
ディスク媒体１への情報の書き込みは、半導体レーザ発振器３３から発せられた光ビームをビームスプリッタ３４を介してディスク媒体１に照射して行い、ディスク媒体１からの情報の読取り（リード）は、ディスク媒体１からの反射光を、対物レンズ３１、ビームスプリッタ３４、集光レンズ３５、及びシリンドリカルレンズ３６を介して、光検出器３７に導くことによって行う。
【００２１】
半導体レーザ発振器３３は、レーザ制御回路６によって駆動制御され、半導体レーザ発振器３３から発せられる光ビームは、コリメータレンズ３８、ビームスプリッタ３４、対物レンズ３１を介してディスク媒体１上に照射される。レーザ制御回路６は、半導体レーザ発振器３３から発せられる光ビームを記録／再生に応じて制御する。
【００２２】
光検出器３７は、例えば４分割の光検出セルから成り、各光検出セルの出力信号は、電流／電圧変換用のアンプを介して信号処理回路３８に供給される。信号処理回路３８は、光検出器３７の出力信号を基に、フォーカス制御用の信号、トラッキング制御用の信号、及びデータ再生用の信号を出力する。
【００２３】
フォーカス制御用の信号は、フォーカシング制御回路７に供給され、フォーカシング制御回路７の出力信号は、アクチュエータ３２に供給される。これにより、光ビームが、ディスク媒体１上に常時ジャストフォーカスとなるような制御がなされる。また、トラッキング制御用の信号はトラッキング制御回路８に供給される。トラッキング制御回路８は、トラック駆動信号を作成してアクチュエータ３２に供給する。これにより、光ピックアップ３のトラッキング方向の移動が制御される。また、トラッキング制御回路８からのトラック駆動信号は、リニアモータ制御回路５にも供給される。 
トラッキング制御回路８によって対物レンズ３１が移動されているとき、リニアモータ制御回路５によりモータ４を制御することで、対物レンズ３１が光ピックアップ３内の中心位置近傍に位置するよう光ピックアップ３が移動制御される。また、モータ２はモータ制御回路９によって制御される。
【００２４】
また、信号処理回路３８からのデータ再生用の信号は、ＲＦアンプ１０及びローパスフィルタ（ＬＰＦ）１１を介してデータ再生回路１２に供給される。データ再生回路１２は、ＬＰＦ１１の出力をアナログ・デジタル変換回路によってデジタル化し、デジタル化された信号をＰＬＬ回路１３からの再生用クロックに基づき、記録データを再生する。
【００２５】
リニアモータ制御回路５、レーザ制御回路６、フォーカシング制御回路７、トラッキング制御回路８、モータ制御回路９、ＲＦアンプ１０、ＬＰＦ１１、データ再生回路１２、ＰＬＬ回路１３は、バス１４に接続され、これらの回路はバス１４を介してコントローラ１５によって制御される。コントローラ１５はＣＰＵ１５１を含み、このＣＰＵ１５１は、ＲＯＭ１６に記録されたプログラムに従って所定の動作を行う。
【００２６】
さらにバス１４には、データプロセッサ１７、ＲＡＭ１８、インターフェース回路１９が接続され、ホスト２０からのコマンドを、インターファース回路１９を介して受信するようにしている。データプロセッサ１７は、エラー訂正回路１７１を含み、ＣＰＵ１５１により指定された領域のデータをディスク媒体１から読み出し、エラー訂正してＲＡＭ１８に書き込むようにしている。
【００２７】
ＲＡＭ１８はキャッシュメモリとして使用され、ドライブ側はディスク媒体１の指定されたアドレス領域のデータを読出し、ディスク媒体１の引き続くアドレス領域を続けて読み出す、いわゆる先読み機能（キュッシュ動作）を有し、読み出したデータをＲＡＭ１８に記憶可能にしている。以下の説明ではＲＡＭ１８をキャッシュメモリと呼ぶこともある。
【００２８】
次に、本発明の情報再生装置の動作を説明する。本発明では、再読取り（リトライ）のし方において以下の４点の特徴を有する。即ち、ホスト２０からのリードコマンドにより指定されたアドレスのデータを読取り、キュッシュ動作を行う場合に、
（１）リードＮＧとなったときは、先ず仕様（スペック）を逸脱しないパラメータ設定で最大Ｎ回の読取り（リード）を実行し、それでもリードＮＧの場合は、自動キャッシュ動作で最大Ｍ回のリトライを行う。
【００２９】
（２）このＭ回のリトライでは、先のＮ回のリトライ時とは異なり、ドライブ仕様から外れたパラメータ設定でリードを実行する。
【００３０】
（３）ドライブ側は、リードＮＧ後のキャッシュ動作においてＮ回のリトライでリードが成功した時、又はＭ回のリトライを実施した後、及びホストから次の動作コマンドが送られて来た場合には、パラメータの設定値をキャッシュ動作前あるいはリードＮＧ前の値に戻してから動作コマンドを実行する。
【００３１】
（４）ホスト２０は、リードＮＧ時に同じアドレスのリードコマンドを再送する場合に、重要なデータの読取り時には、ドライブ側がリードに成功する為に十分な時間をウェイトしてからリードコマンドを発行し、さほど重要で無いデータの読取り時には即座に次のコマンドを送るようにする。
【００３２】
即ち、従来のキャッシュ動作と異なる点は、Ｎ回のリトライでリードＮＧとなってもキャッシュ動作を継続し、ドライブ仕様から外れたパラメータ設定によりＭ回のリトライを実施し、リードＮＧ後のキャッシュ動作の終了時（リード成功もしくはＭ回実施後）にはパラメータを元に戻すことにある。また、リードＮＧ後のキャッシュ動作中に、ホストから新たなリードコマンド等が来たらパラメータを元に戻すことにある。
【００３３】
上記の動作を図２を参照して詳しく説明する。
【００３４】
図２はドライブスペックの幅を表し、ＳＰ１は各種パラメータの設定値がスペックの範囲内にあることを示している。ホスト２０からのリードコマンドにより、指定されたアドレスのデータを読取ろうとしてリードＮＧとなったときは、各種のパラメータをこの仕様を逸脱しないＳＰ１の範囲内で変更しながらリトライを行う。
【００３５】
また、図２のＳＰ２は、スペックの範囲内の下限値よりも低いスペック外の値を示し、ＳＰ３は上限値よりも高いスペック外の値を示している。上記Ｎ回のリトライを行ってもリードＮＧの場合は、各種のパラメータをスペック外の値に変更してＭ回のリトライを行う。
【００３６】
上記各種のパラメータとしては、ディスク媒体１の回転速度、ＲＦ信号のカットオフ周波数、フォーカスゲイン、トラッキングゲイン、ブラックドット検出感度等が考えられ、これらパラメータをスペック内或いはスペック外の値に設定してリトライを行う。
【００３７】
ディスク媒体１の回転速度を遅くした場合、ＲＦ感度は上がるが傷部分の読取りが弱くなり、速くするとその逆の状態となる。また、フォーカスゲイン及びトラッキングゲインが適正な値の場合は読取り性能が良好であるが、傷、ピット深さ、トラックの歪み等の影響を受けやすくなる。さらに同期信号検出の不感時間の設定を変更した場合は、いわゆるブラックドットの検出感度を変えることができ、傷、指紋・ブラックドット等のディスク表面の汚れ、ゴミなどに対する読取り性能を変えることができる。したがって、これらパラメータを変更することで読取り性能が変わり、場合によってはスペック外の値に設定した方が読取れる場合もある。
【００３８】
例えば記録時のレーザーパワー不足によってピットが正しく形成されていないディスク媒体を再生する場合について説明する。ディスク媒体に信号を記録する場合、レーザ光を照射することで図３（ａ）に示すような微細なピットｐ１の列が形成されるが、レーザーパワーが不足した場合は、ピットｐ２が図３（ｂ）のように変形することがある。
【００３９】
図３（ａ）はピットｐ１の形状が矩形に近い形状をしており、ピット深さも平均化しており、再生した信号波形Ｓ１も矩形となるが、レーザーパワーが不足した状態で記録されると図３（ｂ）のようにピットｐ２の形状が菱形になり、ピットの深さも変化してしまう。このため再生した信号波形Ｓ２は鈍ってしまい、波形の傾斜部Ｓ３ではノイズ成分が多く検出されることになる。また、レーザーパワー以外にも、記録時の書き込み周波数の違いや、ディスク媒体の回転数によっても読取り（再生）状態が変わり、さらにディスク媒体の内周部と外周部を再生している場合でも読取り状態が変わることがある。
【００４０】
このような場合、ＲＦアンプ１０の出力側に接続したＬＰＦ１１のカットオフ周波数を変更することにより、ノイズ成分を除去することができる。
【００４１】
図４は、テスト用のディスクを一定の回転速度（８．４倍速）で再生し、ＬＰＦ１１のカットオフ周波数を変えたときの、ディスク媒体の内周部と外周部におけるエラーレートと、内部ジッタ（ハードウェアの変動要素）の変化を示すグラフである。図４から分かるように、ＬＰＦ１１のカットオフ周波数が低くなると、ディスク媒体の外周部でのエラーレートが増加することが分かる。
【００４２】
したがって、カットオフ周波数はジッタやエラーレート等を基に、スペックが設定され、リードＮＧの場合は、スペック内でカットオフ周波数を変えてリトライを行うようにしている。また、リードＮＧの場合、ＬＰＦ１１のカットオフ周波数をスペック外に設定することにより、記録情報の読取りが可能になる場合もある。
【００４３】
そこで、本発明では光ピックアップ３により読取られた情報に対して各種のパラメータを設定して再生処理を行い、最初のリトライでは、カットオフ周波数等のパラメータをスペック内で変更して所定回数（Ｎ回）リトライを行い、それでも読取れない場合には、パラメータをスペック外の値に変更して所定回数（Ｍ回）リトライを行うようにしたものである。
【００４４】
ＬＰＦ１１のカットオフ周波数だけでなく、ディスク媒体１の回転速度、フォーカスゲイン、トラッキングゲイン、ブラックドットの検出感度等、各種のパラメータを変更することで読取り性能が変わるため、コントローラ１５は、ＬＰＦ１１の他にモータ制御回路９、フォーカシング制御回路７、トラッキング制御回路８、データ再生回路１２等を制御して、リトライ時の各種パラメータを変更するようにしている。
【００４５】
図５はコントローラ１５の制御による、リトライの動作を説明するフローチャートである。図５において、ステップＳ１でホスト２０からリードコマンドを受付けると、ステップＳ２では、指定されたアドレスのデータを読取り、読取りＯＫの場合はステップＳ３でキャッシュメモリ１８に読取ったデータを記憶する。
【００４６】
読取りが正常に行われたか否かはデータ再生回路１２の再生結果を用いて判別することができる。
【００４７】
キャッシュメモリ１８には指定されたアドレスの情報が読取られて記憶され、このアドレスに続く領域のデータを順次先読みして記憶し、キャッシュ動作を行う。これにより、連続的なアドレスを次々と読取り、ホスト２０からコマンドを受ける前に、自動的に前回読取りを完了したアドレスに引き続いてデータの読取りを行い、指定アドレスヘのシーク動作を省くことができる。
【００４８】
また、ステップＳ２で読取りができずリードＮＧとなった場合は、ステップＳ４に移行し、コントローラ１５は、ディスク媒体１の回転速度、フォーカスゲイン、トラッキングゲイン、ブラックドットの検出感度等、各種のパラメータをスペックの範囲内で変更し、所定回数（Ｎ回）リトライを行う。このリトライで読取りに成功したか否かはステップＳ５で判別され、リードＯＫとなった場合は読取ったデータをキャッシュメモリ１８に記憶する。
【００４９】
Ｎ回のリトライについて概略的に説明すると、例えば１回目のリトライでは、  第１のパラメータの値を１としてリードをトライし、２回目のリトライでは第１のパラメータの値を２としてリードをトライし、３回目のリトライでは第１のパラメータの値を３としてリードをトライする。さらに第２のパラメータについても同様にパラメータ値を順次切換えてリードをトライする。
【００５０】
このステップＳ５でＮ回リトライしてもリードＮＧと判断された場合は、ステップＳ６において、リトライ不成功(リトライＮＧ)である旨の情報をホスト２０に返送し、次のコマンドを待つ。一方、ステップＳ５でリードＮＧと判断された場合は、ステップＳ７で引き続きリトライを行う。
【００５１】
このステップＳ７では、各種のパラメータをスペック外の値に変更して所定回数（Ｍ回）リトライを行う。尚、ＭはＮと同じであっても良いし、異なっても良い。このステップＳ７で読取りに成功したか否かはステップＳ８で判別され、リードＯＫとなった場合は読取ったデータをキャッシュメモリ１８に記憶する。このリトライでもリードＮＧの場合は、読取り作業を終了する（ステップＳ９）。
【００５２】
こうして、最初のＮ回のリトライで読取ができなかった場合は、リトライＮＧの情報をホスト２０に返送し、それとともにドライブ側は各種パラメータの設定値をスペック外に設定して再度リトライを行い、リードＯＫとなった場合にはキャッシュメモリ１８に記憶する。これにより、ホスト２０はリトライＮＧが返送された場合に一定時間経過後に再度ＮＧアドレスのリードコマンドを実施すれば、読取り成功の可能性が高まり大切なデータが読めなくなる確率を下げることができる。
【００５３】
尚、ドライブスペックから逸脱する可能性があるパラメータは、通常のリードコマンド実施中においては、仕様を満足できないため使用することはできないが、リードコマンドの実施中ではないドライブ側の自主的動作の範囲内ならば使用可能である。この場合、ドライブスペックに載っていないパラメータ仕様であるため、ホスト２０ではこの仕様外のパラメータを制御できないが、リトライＮＧ後にホスト２０が次のリードコマンドを出すまでにウェイトを設けることで、ドライブ側が自主的に仕様外のパラメータを使用してリトライする時間帯を創出できる。
【００５４】
また、ドライブ側は、リードＮＧ後のＮ回のリトライでリードが成功した時、又はＭ回のリトライを実施した後、各種パラメータの設定値を標準値あるいはリードＮＧ前の値に戻してから次の動作コマンドを実行する（ステップＳ１０）。またステップＳ１１において、ホストから新たな動作コマンドが送られて来たと判断された場合にも、各種パラメータの設定値を標準値あるいはリードＮＧ前の値に戻してから動作コマンドを実行する。これにより、次のコマンドを実行する際には各種のパラメータの値を元の値に戻して読取りを実行することができる。
【００５５】
また、ホスト２０はリード成功時にキャッシュ動作を行うが、リードＮＧ時に同じアドレスのリードコマンドを再送する場合に、重要なデータ、例えばプログラムデータ等の情報の読取り時には、ドライブ側がステップＳ７においてリードに成功する為に十分な時間をウェイトしてからリードコマンドを発行し、さほど重要で無いデータ、例えば映像、音声情報のように一部が欠落しても支障が少ないデータの読取り時には即座に次のコマンドを送るようにしている。これにより重要なデータの読取りの成功率を高くすることができる。
【００５６】
こうして読取りに成功したデータはキャッシュメモリ１８に記憶され、次に同じアドレスのリードコマンドが送られてきた場合には、キャッシュメモリ１８から即座に読み出して処理することが可能となる。
【００５７】
尚、Ｎ回又はＭ回のリトライを実施する代わりに、ステップＳ４，Ｓ７でのリトライを所定時間に限定して実施するようにしても良い。但し、所定の時間としては、ホスト２０からの要求が何もなく自動的にディスク媒体の回転を停止する自動回転停止タイマーが働くまでの期間、又はディスク媒体の傷や温度上昇から光ピックアップを保護するため自動的にドライブが停止するまでの期間内に設定する必要がある。
【００５８】
以上述べたように、本発明の情報再生装置では、スペック外のパラメータを利用してリトライを行うことにより重要なデータ等の読取りの確立を高めることができる。
【００５９】
尚、以上の説明に限定されることなく、特許請求の範囲を逸脱しない範囲内で種々の変形が可能である。
【図面の簡単な説明】
【００６０】
【図１】本発明の情報再生装置の一実施形態を示す全体構成図。
【図２】同実施形態の情報再生装置の動作説明を補足する説明図。
【図３】ディスク媒体のピット形状及び再生信号波形を説明する説明図。
【図４】同実施形態の情報再生装置のカットオフ周波数の変化に伴うエラーレート及びジッタの変動特性を説明する特性図。
【図５】同実施形態の情報再生装置の動作を説明するフローチャート。
【符号の説明】
【００６１】
１…ディスク媒体
２…モータ
３…光ピックアップ
４…リニアモータ
５…リニアモータ制御回路
６…レーザ制御回路
７…フォーカシング制御回路
８…トラッキング制御回路
９…モータ制御回路
１０…ＲＦアンプ
１１…ローパスフィルタ（ＬＰＦ）
１２…データ再生回路
１３…ＰＬＬ回路
１４…バス
１５…コントローラ
１６…ＲＯＭ
１７…データプロセッサ
１８…ＲＡＭ（キャッシュメモリ）
１９…インターフェース回路
２０…ホスト
【図１】
2007122837.tif 000003
【図２】
2007122837.tif 000004
【図３】
2007122837.tif 000005
【図４】
2007122837.tif 000006
【図５】
2007122837.tif 000007